【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＴＤＤセルの下りリンクサブフレーム（ｄｏｗｎｌｉｎｋ  ｓｕｂｆｒａｍｅ）または特別（ｓｐｅｃｉａｌ）サブフレーム（ｎ−ｋ−ｌ（ｎは０以上の整数、ｋおよびｌは自然数））を介して前記ＦＤＤセルの上りリンクデータチャネル伝送のためのグラント（ｇｒａｎｔ）を受信することと、
前記ＦＤＤセルの上りリンクサブフレーム（ｕｐｌｉｎｋ  ｓｕｂｆｒａｍｅ）（ｎ−ｋ）を介して、上りリンクデータチャネル伝送のためのグラントをベースに上りリンクデータチャネルを伝送することと、
前記ＴＤＤセルの下りリンクサブフレームまたは特別サブフレームｎを介して前記上りリンクデータチャネルのためのＡＣＫまたはＮＡＣＫを受信することと、
を含み、
ｎは前記ＴＤＤセルのフレーム内でのサブフレームの位置を示すサブフレームインデックス値であって、０から９までの一つである、
通信方法。
【請求項２】
前記ＴＤＤセルによって前記ＦＤＤセルがクロスキャリアスケジューリング（ｃｒｏｓｓ  ｃａｒｒｉｅｒ  ｓｃｈｅｄｕｌｉｎｇ）される、請求項１に記載の通信方法。
【請求項３】
ｋは６であり、ｌは４である、請求項２に記載の通信方法。
【請求項４】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＴＤＤセルの下りリンクサブフレーム（ｄｏｗｎｌｉｎｋ  ｓｕｂｆｒａｍｅ）または特別（ｓｐｅｃｉａｌ）サブフレーム（ｎ−ｋ−ｌ（ｎは０以上の整数、ｋおよびｌは自然数））を介して前記ＦＤＤセルの上りリンクデータチャネル伝送のためのグラント（ｇｒａｎｔ）を伝送することと、
前記ＦＤＤセルの上りリンクサブフレーム（ｕｐｌｉｎｋ  ｓｕｂｆｒａｍｅ）（ｎ−ｋ）を介して、上りリンクデータチャネル伝送のためのグラントをベースに上りリンクデータチャネルを受信することと、
前記ＴＤＤセルの下りリンクサブフレームまたは特別サブフレームｎを介して前記上りリンクデータチャネルに対するＡＣＫまたはＮＡＣＫを伝送することと、
を含み、
ｎは前記ＴＤＤセルのフレーム内でのサブフレームの位置を示すサブフレームインデックス値であって、０から９までの一つである、
通信方法。
【請求項５】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＴＤＤセルの下りリンクサブフレーム（ｄｏｗｎｌｉｎｋ  ｓｕｂｆｒａｍｅ）または特別（ｓｐｅｃｉａｌ）サブフレーム（ｎ−ｋ−ｌ（ｎは０以上の整数であり、ｋおよびｌは自然数））を介して前記ＦＤＤセルの上りリンクデータチャネル伝送のためのＮＡＣＫを受信することと、
前記ＦＤＤセルの上りリンクサブフレーム（ｕｐｌｉｎｋ  ｓｕｂｆｒａｍｅ）（ｎ−ｋ）を介して、前記ＮＡＣＫに基づく上りリンクデータチャネルを伝送することと、
前記ＴＤＤセルの上りリンクサブフレームまたは特別サブフレームｎを介して前記上りリンクデータチャネルに対するＡＣＫまたはＮＡＣＫを受信することと、
を含み、
ｎは前記ＴＤＤセルのフレーム内でのサブフレームの位置を示すサブフレームインデックス値であって、０から９までの一つである、
通信方法。
【請求項６】
前記ＴＤＤセルによって前記ＦＤＤセルがクロスキャリアスケジューリング（ｃｒｏｓｓ  ｃａｒｒｉｅｒ  ｓｃｈｅｄｕｌｉｎｇ）される、請求項５に記載の通信方法。
【請求項７】
ｋは６であり、ｌは４である、請求項６に記載の通信方法。
【請求項８】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＴＤＤセルの下りリンクサブフレーム（ｄｏｗｎｌｉｎｋ  ｓｕｂｆｒａｍｅ）または特別（ｓｐｅｃｉａｌ）サブフレーム（ｎ−ｋ−１（ｎは０以上の整数、ｋおよび１は自然数））を介して前記ＦＤＤセルの上りリンクデータチャネル伝送のためのＮＡＣＫを伝送することと、
前記ＦＤＤセルの上りリンクサブフレーム（ｕｐｌｉｎｋ  ｓｕｂｆｒａｍｅ）（ｎ−ｋ）を介して前記ＮＡＣＫに基づく上りリンクデータチャネルを受信することと、
前記ＴＤＤセルの上りリンクサブフレームまたは特別サブフレームｎを介して前記上りリンクデータチャネルのためのＡＣＫまたはＮＡＣＫを伝送することと、
を含み、
ｎは前記ＴＤＤセルのフレーム内でのサブフレームの位置を示すサブフレームインデックス値であって、０から９までの一つである、
通信方法。
【請求項９】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＦＤＤセルの下りリンクサブフレーム（ｄｏｗｎｌｉｎｋ  ｓｕｂｆｒａｍｅ）ｎ（ｎは０以上の整数）を介して前記ＴＤＤセルの上りリンクデータチャネル伝送のためのグラント（ｇｒａｎｔ）を受信することと、
前記ＴＤＤセルの上りリンクサブフレーム（ｕｐｌｉｎｋ  ｓｕｂｆｒａｍｅ）（ｎ＋ｋ（ｋは自然数））を介して、上りリンクデータチャネル伝送のための前記グラントをベースに上りリンクデータチャネルを伝送することと、
前記ＦＤＤセルの下りリンクサブフレーム（ｎ＋ｋ＋ｌ（ｌは自然数））を介して前記上りリンクデータチャネルのためのＡＣＫまたはＮＡＣＫを受信することと、
を含み、
ｎは前記ＴＤＤセルのフレーム内でのサブフレームの位置を示すサブフレームインデックス値であって、０から９までの一つである、
通信方法。
【請求項１０】
前記ＦＤＤセルによって前記ＴＤＤセルがクロスキャリアスケジューリング（ｃｒｏｓｓ  ｃａｒｒｉｅｒ  ｓｃｈｅｄｕｌｉｎｇ）される、請求項９に記載の通信方法。
【請求項１１】
ｋは、以下の表に基づいてサブフレームｎのサブフレームインデックス値と前記ＴＤＤセルの上りリンク／ダウニング設定とに従って決定される、請求項９に記載の通信方法。
【表１】
2016530781.tif 000001
【請求項１２】
ｌは、以下の表に基づいてサブフレーム（ｎ＋ｋ）のサブフレームインデックス値と前記ＴＤＤセルの上りリンク／ダウニング設定とに従って決定される、請求項９に記載の通信方法。
【表２】
2016530781.tif 000002
【請求項１３】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＦＤＤセルの下りリンクサブフレーム（ｄｏｗｎｌｉｎｋ  ｓｕｂｆｒａｍｅ）ｎ（ｎは０以上の整数）を介して前記ＴＤＤセルの上りリンクデータチャネル伝送のためのグラント（ｇｒａｎｔ）を伝送することと、
前記ＴＤＤセルの上りリンクサブフレーム（ｕｐｌｉｎｋ  ｓｕｂｆｒａｍｅ）（ｎ＋ｋ（ｋは自然数））を介して、上りリンクデータチャネル伝送のための前記グラントをベースに上りリンクデータチャネルを受信することと、
前記ＦＤＤセルの下りリンクサブフレーム（ｎ＋ｋ＋ｌ（ｌは自然数））を介して前記上りリンクデータチャネルのためのＡＣＫまたはＮＡＣＫを伝送することと、
を含み、
ｎは前記ＴＤＤセルのフレーム内でのサブフレームの位置を示すサブフレームインデックス値であって、０から９までの一つである、
通信方法。